(57)【要約】【課題】小スペースで、且つ、座った状態で簡易にストレッチ等が行えると共に、座連動リクライニング及び立ち上がり補助が行える椅子を提供する。【解決手段】本発明は、少なくとも座部２を備えた椅子（マッサージ椅子１）に於て、前記座部２の左右部に、空気によって膨張収縮自在のエアーセル６，７を夫々配設すると共に、該エアーセル６，７に個別に空気を給排する給排気装置を接続した椅子を提供する。【選択図】　図２
2004135807.tif 000002
【特許請求の範囲】
【請求項１】
少なくとも座部を備えた椅子に於て、前記座部の左右部に、空気によって膨張収縮自在のエアーセルを夫々配設すると共に、該エアーセルに個別に空気を給排する給排気装置を接続したことを特徴とする椅子。
【請求項２】
少なくとも座部を備えた椅子に於て、前記座部の前部に、空気によって膨張収縮自在のエアーセルを配設すると共に、該エアーセルに空気を給排する給排気装置を接続したことを特徴とする椅子。
【請求項３】
少なくとも座部を備えた椅子に於て、前記座部の後部に、空気によって膨張収縮自在のエアーセルを配設すると共に、該エアーセルに空気を給排する給排気装置を接続したことを特徴とする椅子。
【請求項４】
少なくとも座部を備えた椅子に於て、前記座部の左右部、前部、又は、後部の内、任意に選択された少なくとも２箇所に、空気によって膨張収縮自在のエアーセルを夫々配設すると共に、該エアーセルに個別に空気を給排する給排気装置を接続したことを特徴とする椅子。
【請求項５】
上記椅子はマッサージ椅子であることを特徴とする請求項１，２，３又は４記載の椅子。
【発明の詳細な説明】
【０００１】
【発明の属する技術分野】
この発明は、椅子に関するものであり、特に、少なくとも座部を備えた椅子であって、該座部にエアーセルを配設し、該エアーセルの膨張収縮によってストレッチ等を行えるようにした椅子に関するものである。
【０００２】
【従来の技術】
従来の此種エアーセルを用いた用具は既に知られており、例えば、上面及び前後両端を開放して凹状をなした施療凹部を有する施療体の該施療凹部内側面に空気袋を配設し、該空気袋に空気を給排する給排気装置を接続したエアーマッサージ機が知られている（例えば、特許文献１参照。）。該エアーマッサージ機は前記空気袋の膨張収縮によって、人体の脚部や腕部をマッサージするものであり、該エアーマッサージ機は単独で用いることもできるが、該エアーマッサージ機をマッサージ椅子に取付けることにより、マッサージ椅子の機能に該エアーマッサージ機の機能を付加することも可能である。
【０００３】
又、一対の左右に並ぶ空気袋、及び、左右に延びる他の空気袋を配したマットを備え、該マットの空気袋は該空気袋を個別に膨張収縮させる駆動部に接続されているストレッチマットが知られている（例えば、特許文献２参照。）。該ストレッチマットは前記空気袋を膨張収縮させることにより、身体の腰部、背中、及び、脚部等の筋肉のストレッチを行うことができる。
【０００４】
【特許文献１】
特開平８−８９５４０号公報　（第１−７頁、第１−７図）
【０００５】
【特許文献２】
特開２００２−２４８１４４号公報　（第１−７頁、第１−２８図）
【０００６】
【発明が解決しようとする課題】
上記従来例のエアーマッサージ機は、施療凹部内側面に配設した空気袋の膨張収縮によって、人体の脚部や腕部をマッサージするものであり、該エアーマッサージ機をマッサージ椅子に取付けることにより、マッサージ椅子の機能に該エアーマッサージ機の機能を付加することも可能である。
【０００７】
然しながら、該エアーマッサージ機は、空気袋で人体の脚部や腕部をマッサージするものであり、ストレッチ等を行うものではなく、特に、前記凹部の形状は限定されているため、人体の腰部等の筋肉のストレッチを行うことは困難である。
【０００８】
又、従来例のストレッチマットは、一対の左右に並ぶ空気袋、及び、左右に延びる他の空気袋を備え、該空気袋を膨張収縮させることにより、身体の腰部、背中、脚部等の筋肉のストレッチを行うことができる。
【０００９】
然しながら、該ストレッチマットは人が仰臥姿勢となって使用するものであり、仰臥姿勢になるためのスペースを必要とする。
そこで、小スペースで、且つ、座った状態で簡易にストレッチ等が行えると共に、座連動リクライニング及び立ち上がり補助が行える椅子を提供するために解決すべき技術的課題が生じてくるのであり、本発明はこの課題を解決することを目的とする。
【００１０】
【課題を解決するための手段】
本発明は上記目的を達成するために提案されたものであり、少なくとも座部を備えた椅子に於て、前記座部の左右部に、空気によって膨張収縮自在のエアーセルを夫々配設すると共に、該エアーセルに個別に空気を給排する給排気装置を接続した椅子、
及び、少なくとも座部を備えた椅子に於て、前記座部の前部に、空気によって膨張収縮自在のエアーセルを配設すると共に、該エアーセルに空気を給排する給排気装置を接続した椅子、
及び、少なくとも座部を備えた椅子に於て、前記座部の後部に、空気によって膨張収縮自在のエアーセルを配設すると共に、該エアーセルに空気を給排する給排気装置を接続した椅子、
及び、少なくとも座部を備えた椅子に於て、前記座部の左右部、前部、又は、後部の内、任意に選択された少なくとも２箇所に、空気によって膨張収縮自在のエアーセルを夫々配設すると共に、該エアーセルに個別に空気を給排する給排気装置を接続した椅子、
並びに、上記椅子はマッサージ椅子である椅子を提供するものである。
【００１１】
【発明の実施の形態】
以下、本発明の一実施の形態を図１乃至図５に従って詳述する。図１に於て、１はマッサージ椅子であり、該マッサージ椅子１は座部２と、脚部３と、背凭れ部４と、肘掛部５，５とを備え、リクライニング自在となっており、該背凭れ部４内部に施療子（図示せず）等のマッサージユニット（図示せず）が組み込まれている。
【００１２】
そして、図２に示す如く、前記座部２上部の中央部左右半部には、左右一対のエアーセル６，７が配設され、且つ、該座部２上部の前後部に夫々エアーセル８，９が設けられている。該エアーセル６，７，８，９は給排気装置（図示せず）に接続され、該給排気装置による空気の給排によって個別に膨張収縮するように構成されている。
【００１３】
而して、図１及び図２に於て、利用者１０が前記座部２に着座し、前記背凭れ部４に背中を当てて、前記マッサージユニットを作動させると、該マッサージユニットが上下動し、該マッサージユニットの施療子が利用者１０の背中をマッサージする。
【００１４】
更に、前記座部２に設けられた前記右のエアーセル７に前記給排気装置から空気を圧送すると、図３（ａ）に示す如く、該エアーセル７が膨張し、該エアーセル７の膨張によって利用者１０の左脚部１１及び左臀部を含む身体の左側全部が持ち上げられ、その作用により身体の右側部近傍が伸展し、次に、前記給排気装置によって前記エアーセル７の空気を排出すると、利用者１０の左脚部１１は前記座部２に着座する。
【００１５】
又、前記左のエアーセル６に前記給排気装置から空気を圧送すると図３（ｂ）に示す如く、該エアーセル６が膨張し、該エアーセル６の膨張によって利用者１０の右脚部１２及び右臀部を含む身体の右側全部が持ち上げられ、その作用により身体の左側部近傍が伸展し、次に、該給排気装置によって前記エアーセル６の空気を排出すると、利用者１０の右脚部１２は前記座部２に着座する。
【００１６】
そして、前記エアーセル７の膨張収縮及び前記エアーセル６の膨張収縮を順次繰り返すと、利用者１０の左右の脚部１１，１２は交互に上下動し、これによって利用者１０の脚部、臀部、腰部、及び、身体の左側部近傍並びに右側部近傍の筋肉を伸展収縮させ、ストレッチ運動を行うことができる。
【００１７】
尚、前述の説明に於て、前記エアーセル７，６は交互に作動させたが、該作動手順は任意に設定することが可能であり、然る時も、設定に基づく効果的なストレッチ運動を行うことができる。
【００１８】
又、前述の如く、前記エアーセル７，６の膨張収縮によって利用者１０の身体が左右に持ち上げられ、倒れこんでしまう虞があるため、利用者１０の身体が左右に逃げないように、例えば、前記背凭れ部４の中心部を窪ませて、該背凭れ部４に利用者１０の身体がフィットするような構造にすれば、更に、効果的である。
【００１９】
図４は前記前部のエアーセル８を膨張させた状態を示し、該エアーセル８が膨張することにより、利用者１０の脚部１１，１２が上昇し、次に、該給排気装置によって前記エアーセル８の空気を排出すると、利用者１０の脚部１１，１２は前記座部２に着座する。
【００２０】
そして、前記エアーセル８が膨張収縮を繰り返すと、これによって利用者１０の脚部、臀部、腰部、及び、背中の筋肉を伸展収縮させ、ストレッチ運動を行うことができる。
【００２１】
又、前記マッサージ椅子１は前記座部２と共に、背凭れ部４が備えられているので、前記エアーセル８が膨張し、利用者１０の脚部１１，１２が上昇することにより、前記座部２がリクライニングするのと同様の効果となる、所謂、座連動リクライニングが可能となり、利用者１０がリクライニング効果を得ることができると共に、利用者１０の背中が背凭れ部４に押し付けられ、該背凭れ部４内部に配設されたマッサージユニットの施療子が利用者１０の背中に圧接されて効果的なマッサージが行える。
【００２２】
更に、前記マッサージユニットの施療子が利用者１０の腰の位置にある時、前記エアーセル８を作動させることなく前記背凭れ部４を倒すと腰が浮いてしまい、施療子が腰にうまく当たらない虞があり、又、該施療子の移動範囲と利用者１０の背中の位置とがずれてしまい、肩の位置も変化するため、該施療子が利用者１０の頭部に当たる虞があるが、該背凭れ部４のリクライニングと同時に前記座部２のエアーセル８を膨張させると、前記背凭れ部４と共に利用者１０の体が倒れた時でも利用者１０の腰が施療子に密着し、それによって前記施療子の移動範囲と利用者１０の背中の位置とのずれを防止することができると共に、肩の位置も変化しないため、効果的なマッサージが行える。
【００２３】
図５は前記後部のエアーセル９を膨張させた状態を示し、該エアーセル９が膨張することにより、利用者１０の臀部１３が上昇し、次に、該エアーセル９の空気を排出すると、利用者１０の臀部１３は前記座部２に着座する。
【００２４】
そして、該エアーセル９の膨張収縮を繰り返すと、これによって利用者１０の脚部、臀部、腰部、及び、背中の筋肉を伸展収縮させ、ストレッチ運動を行うことができる。
【００２５】
又、前記エアーセル９が膨張することにより、利用者１０の臀部１３が上昇し、これによって利用者１０の立ち上がり補助を行うことができる。
尚、前記エアーセル６，７，８，９の膨張収縮の作動順序を任意に設定して、利用者１０の好みのストレッチ運動を行うことも可能である。
【００２６】
斯くして、前記マッサージ椅子１は、座部２の前後左右部にエアーセル６，７，８，９を配設したので、該エアーセル６，７，８，９の膨張収縮によって、小スペースで、且つ、座った状態で利用者が簡単にストレッチ運動を行うことができると共に、座連動リクライニング、及び、立ち上がり補助等を行うことができる。
【００２７】
尚、前述の如く、本発明はマッサージ椅子に適用した場合について説明したが、マッサージ椅子に限定されることなく、座部を備える全ての椅子に適用可能である。特に、小型の椅子を用いることにより、小さいスペースでストレッチ運動を行うことができる。
【００２８】
又、前記エアーセル６，７，８，９は必要なものを選択的に取付けても良く、然る時も、配置したエアーセルによる前述の単独、又は、複合の作用効果が期待できる。
【００２９】
更に、前記エアーセル６，７，８，９をマット上に配設し、該マットを前記座部２に載置して前述と同様の効果を得ることも可能である。そして、この場合に於ては、構成がより簡素になると共に、既存の椅子、マッサージ椅子等に適用できる等の利点もある。
【００３０】
尚、本発明は、本発明の精神を逸脱しない限り種々の改変を為すことができ、そして、本発明が該改変されたものに及ぶことは当然である。
【００３１】
【発明の効果】
本発明は上記一実施の形態に詳述したように、請求項１記載の発明は、座部の左右部に、空気によって膨張収縮自在のエアーセルを夫々配設すると共に、該エアーセルに個別に空気を給排する給排気装置を接続したので、前記左右部のエアーセルの膨張収縮を繰り返すことにより利用者の左右の脚部が上下動し、これによって利用者の脚部、臀部、腰部、及び、背中等の筋肉を伸展収縮させ、ストレッチ運動を行うことができる。
【００３２】
又、請求項２記載の発明は、座部の前部に、空気によって膨張収縮自在のエアーセルを配設すると共に、該エアーセルに空気を給排する給排気装置を接続したので、該エアーセルを膨張収縮を繰り返すことにより、利用者の脚部、臀部、腰部、及び、背中の筋肉を伸展収縮させ、ストレッチ運動を行うことができる。更に、椅子に背凭れ部が備えられている場合は、前記エアーセルを膨張させることにより利用者の脚部を上昇させ、座部がリクライニングするのと同様の効果となる、所謂、座連動リクライニングが可能となり、これによって利用者がリクライニング効果を得ることができると共に、利用者の背中が背凭れ部に押し付けられ、該背凭れ部内部に配設されたマッサージユニットの施療子が利用者の背中に圧接され、効果的なマッサージが行える。
【００３３】
更に、マッサージユニットの施療子が利用者の腰の位置にある時、前記エアーセルを作動させることなく前記背凭れ部を倒すと腰が浮いてしまい、施療子が腰にうまく当たらない虞があり、又、該施療子の移動範囲と利用者の背中の位置とがずれてしまい、肩の位置も変化するため、該施療子が利用者の頭部に当たる虞があるが、該背凭れ部のリクライニングと同時に前記座部のエアーセルを膨張させると、前記背凭れ部と共に利用者の体が倒れた時でも利用者の腰が施療子に密着し、それによって前記施療子の移動範囲と利用者の背中の位置とのずれを防止することができると共に、肩の位置も変化しないため、効果的なマッサージが行える。
【００３４】
更に又、請求項３記載の発明は、座部の後部に、空気によって膨張収縮自在のエアーセルを配設すると共に、該エアーセルに空気を給排する給排気装置を接続したので、該エアーセルを膨張収縮させると、これによって利用者の脚部、臀部、腰部、及び、背中の筋肉を伸展収縮させ、ストレッチ運動を行うことができる。
【００３５】
又、前記エアーセルが膨張することにより、利用者の臀部が上昇し、これによって利用者の立ち上がり補助を行うことができる。
そして、請求項４記載の発明は、少なくとも座部を備えた椅子に於て、前記座部の左右部、前部、又は、後部の内、任意に選択された少なくとも２箇所に、空気によって膨張収縮自在のエアーセルを夫々配設すると共に、該エアーセルに個別に空気を給排する給排気装置を接続したので、該エアーセルの膨張収縮により、請求項１，２又は３記載の発明の効果が期待できる。
【００３６】
又、請求項５記載の発明は、上記椅子はマッサージ椅子であるため、請求項１，２，３又は４記載の発明の効果に加え、マッサージ椅子の機能が期待できる等、正に著大なる効果を奏する発明である。
【図面の簡単な説明】
【図１】本発明の一実施の形態を示し、マッサージ椅子の正面図。
【図２】本発明の一実施の形態を示し、マッサージ椅子の平面図。
【図３】（ａ）図１に示すマッサージ椅子の右部エアーセルを膨張させた状態を示す正面図。
（ｂ）図１に示すマッサージ椅子の左部エアーセルを膨張させた状態を示す正面図。
【図４】図１に示すマッサージ椅子の前部エアーセルを膨張させた状態を示す側面縦断面図。
【図５】（ａ）図１に示すマッサージ椅子に利用者が着座した状態を示す側面縦断面図。
（ｂ）図１に示すマッサージ椅子の後部エアーセルを膨張させた状態を示す側面縦断面図。
（ｃ）図１に示すマッサージ椅子から利用者が立ち上がる状態を示す側面縦断面図。
【符号の説明】
１　　　　　　　　マッサージ椅子
２　　　　　　　　座部
６，７，８，９　　エアーセル
【図１】
2004135807.tif 000003
【図２】
2004135807.tif 000004
【図３】
2004135807.tif 000005
【図４】
2004135807.tif 000006
【図５】
2004135807.tif 000007